(57)【要約】【課題】ラベルへの記入の手間が省け、記入漏れ・ミス等を防ぐことを可能にする。【解決手段】記録装置１０は、外部補助記録媒体３０に予め記録されるガイダンス情報をメモリ１１に記録し、メモリ１１から読み出されるガイダンス情報と音声・映像等の素材データとをＭＸＦファイルに変換する。そして、ＭＸＦファイルを、リムーバブル記録媒体２０のメモリ２１に書き込む。リムーバブル記録媒体２０は、メモリ２１に書き込まれたＭＸＦファイルからガイダンス情報を読み出し、電子ペーパー２２にガイダンス情報を表示する。【選択図】      図１
2009123303.tif 000002
【特許請求の範囲】
【請求項１】
情報記録用のリムーバブル記録媒体と、
音声、映像の少なくとも一方を含む素材データを取得して前記リムーバブル記録媒体に記録する記録装置と、
前記素材データに関するガイダンス情報を取得するガイダンス情報取得手段と
を備え、
前記記録装置は、
前記ガイダンス情報取得手段からガイダンス情報を受け取ってメモリに保存する保存手段と、前記素材データを記録する際に、前記保存手段から対応するガイダンス情報を読み出して前記素材データと共に前記リムーバブル記録媒体に記録する記録処理部と
を備え、
前記リムーバブル記録媒体は、
前記ガイダンス情報及び前記素材データを収録する収録メモリと、
前記収録メモリに収録された前記ガイダンス情報を表示する表示部と、
前記収録メモリに前記ガイダンス情報が収録された時点で当該ガイダンス情報を読み出し、前記表示部に表示させる表示制御部と
を備えることを特徴とする素材データ記録システム。
【請求項２】
前記記録装置は、前記ガイダンス情報及び前記素材データをＭＸＦ（Material eXchange Format）ファイルに変換して前記記録処理部へ出力する変換部をさらに備えることを特徴とする請求項１記載の素材データ記録システム。
【請求項３】
前記ガイダンス情報が素材データの固有識別情報を表す素材ＩＤ（Identification）を含む場合、
前記リムーバブル記録媒体は、タグＩＤが書き込まれた無線タグを備え、
前記記録装置は、前記無線タグにデータを書き込むタグライタをさらに備え、前記保存手段から読み出されるガイダンス情報から前記素材ＩＤを抽出して前記無線タグに書き込むことを特徴とする請求項１記載の素材データ記録システム。
【請求項４】
情報記録用のリムーバブル記録媒体において、
音声、映像の少なくとも一方を含む素材データと前記素材データに関するガイダンス情報とを収録する収録メモリと、
前記収録メモリに収録された前記ガイダンス情報を表示する表示部と、
前記収録メモリに前記ガイダンス情報が収録された時点で当該ガイダンス情報を読み出し、前記表示部に表示させる表示制御部と
を備えることを特徴とするリムーバブル記録媒体。
【請求項５】
タグＩＤが書き込まれた無線タグをさらに備え、当該無線タグには前記収録メモリに記録されるガイダンス情報に含まれる素材ＩＤが書き込まれることを特徴とする請求項４記載のリムーバブル記録媒体。
【請求項６】
音声、映像の少なくとも一方を含む素材データを取得してリムーバブル記録媒体に記録する記録装置において、
前記素材データに関するガイダンス情報を受け取ってメモリに保存する保存手段と、
前記素材データを記録する際に、前記保存手段から対応するガイダンス情報を読み出して前記素材データと共に前記リムーバブル記録媒体に記録する記録処理部と
を備えることを特徴とする記録装置。
【請求項７】
前記ガイダンス情報及び前記素材データをＭＸＦファイルに変換し前記記録処理部へ出力する変換部をさらに備えることを特徴とする請求項６記載の記録装置。
【請求項８】
前記ガイダンス情報が素材データの固有識別情報を表す素材ＩＤ（Identification）を含む場合、
無線タグにデータを書き込むタグライタをさらに備え、前記保存手段から読み出されるガイダンス情報から前記素材ＩＤを抽出し、前記リムーバブル記録媒体に備えられた無線タグに書き込むことを特徴とする請求項６記載の記録装置。
【請求項９】
情報記録用のリムーバブル記録媒体と、音声、映像の少なくとも一方を含む素材データを取得して前記リムーバブル記録媒体に記録する記録装置とを備える素材データ記録システムに用いられ、
前記素材データに関するガイダンス情報を取得するガイダンス情報取得手段から前記ガイダンス情報を受け取って前記記録装置のメモリに保存し、
前記素材データを記録する際に、前記メモリから対応するガイダンス情報を読み出して、前記素材データと共に前記リムーバブル記録媒体の収録メモリに収録し、
前記収録メモリに前記ガイダンス情報が収録された時点で当該ガイダンス情報を読み出し、前記リムーバブル記録媒体に備えられた表示部に表示させることを特徴とする素材データ管理方法。
【請求項１０】
前記記録装置に保存されたガイダンス情報と前記素材データとをＭＸＦファイルに変換して前記リムーバブル記録媒体の収録メモリに収録することを特徴とする請求項９記載の素材データ管理方法。
【請求項１１】
前記ガイダンス情報が、素材データの固有識別情報を表す素材ＩＤを含む場合、
前記メモリから読み出されるガイダンス情報から前記素材ＩＤを抽出し、
前記リムーバブル記録媒体に備えられタグＩＤが書き込まれた無線タグに、前記記録装置に備えられたタグライタにより、前記無線タグに書き込むことを特徴とする請求項９記載の素材データ管理方法。
【発明の詳細な説明】
【技術分野】
【０００１】
本発明は、リムーバブル記録媒体に記録された素材データのガイダンス情報を視認可能にする素材データ記録システム及び、それに用いられるリムーバブル記録媒体、記録装置、素材データ管理方法に関する。
【背景技術】
【０００２】
一般に素材データ記録システムでは、ＶＴＲに代表される記録装置により取得される音声、映像の少なくとも一方を含む素材データを、テープ、ハードディスク及びフラッシュメモリ等のリムーバブル記録媒体に記録する。このリムーバブル記録媒体には、記録された素材データに関するガイダンス情報が表示されたラベルが貼付されており、リムーバブル記録媒体の管理に利用されている。従来、このラベルは、記録装置による記録後に、手書きにより記入されていた。
【０００３】
しかしながら、手書きでラベルにガイダンス情報を記入する方法では、素材の記録が複数巻に跨ってしまった場合には、記入に手間がかかるという問題があった。また、ラベルへの記入を怠ったり、間違えて記入する等の不備が起こった場合には、所望の記録媒体を見つけ出すことは困難であった。
【０００４】
なお、リムーバブル記録媒体に電子ペーパーを取り付け、駆動装置の制御により電子ペーパーに記録データの情報を表示させる方法が提案されている（例えば、特許文献１参照。）。
【特許文献１】特開２００２−２４５７４７号公報
【発明の開示】
【発明が解決しようとする課題】
【０００５】
以上のように、ラベルへの手書きによる記入は手間がかかり、また、記入漏れ・ミス等があった場合、リムーバブル記録媒体の管理が困難になるという問題があった。
【０００６】
本発明は、上記事情によりなされたもので、その目的は、ラベルへの記入の手間が省け、記入漏れ・ミス等を防ぐことの可能な素材データ記録システム及び、それに用いられるリムーバブル記録媒体、記録装置、素材データ管理方法を提供することにある。
【課題を解決するための手段】
【０００７】
上記目的を達成するため、本発明に係る素材データ記録システムは、情報記録用のリムーバブル記録媒体と、音声、映像の少なくとも一方を含む素材データを取得して前記リムーバブル記録媒体に記録する記録装置と、前記素材データに関するガイダンス情報を取得するガイダンス情報取得手段とを備え、前記記録装置は、前記ガイダンス情報取得手段からガイダンス情報を受け取ってメモリに保存する保存手段と、前記素材データを記録する際に、前記保存手段から対応するガイダンス情報を読み出して前記素材データと共に前記リムーバブル記録媒体に記録する記録処理部とを備え、前記リムーバブル記録媒体は、前記ガイダンス情報及び前記素材データを収録する収録メモリと、前記収録メモリに収録された前記ガイダンス情報を表示する表示部と、前記収録メモリに前記ガイダンス情報が収録された時点で当該ガイダンス情報を読み出し、前記表示部に表示させる表示制御部とを備える。
【０００８】
また、本発明に係るリムーバブル記録媒体は、情報記録用のリムーバブル記録媒体において、音声、映像の少なくとも一方を含む素材データと前記素材データに関するガイダンス情報とを収録する収録メモリと、前記収録メモリに収録された前記ガイダンス情報を表示する表示部と、前記収録メモリに前記ガイダンス情報が収録された時点で当該ガイダンス情報を読み出し、前記表示部に表示させる表示制御部とを備える。
【０００９】
また、本発明に係る記録装置は、音声、映像の少なくとも一方を含む素材データを取得してリムーバブル記録媒体に記録する記録装置において、前記素材データに関するガイダンス情報を受け取ってメモリに保存する保存手段と、前記素材データを記録する際に、前記保存手段から対応するガイダンス情報を読み出して前記素材データと共に前記リムーバブル記録媒体に記録する記録処理部とを備える。
【００１０】
また、本発明に係る素材データ管理方法は、情報記録用のリムーバブル記録媒体と、音声、映像の少なくとも一方を含む素材データを取得して前記リムーバブル記録媒体に記録する記録装置とを備える素材データ記録システムに用いられ、前記素材データに関するガイダンス情報を取得するガイダンス情報取得手段から前記ガイダンス情報を受け取って前記記録装置のメモリに保存し、前記素材データを記録する際に、前記メモリから対応するガイダンス情報を読み出して、前記素材データと共に前記リムーバブル記録媒体の収録メモリに収録し、前記収録メモリに前記ガイダンス情報が収録された時点で当該ガイダンス情報を読み出し、前記リムーバブル記録媒体に備えられた表示部に表示させることを特徴とする。
【００１１】
上記構成による素材データ記録システム、リムーバブル記録媒体、記録装置及び、素材データ管理方法では、ガイダンス情報取得手段からのガイダンス情報を記録装置のメモリに記録する。そして、リムーバブル記録媒体への素材データの記録の際に、メモリからガイダンス情報を読み出し、素材データと共にリムーバブル記録媒体の収録メモリに書き込む。リムーバブル記録媒体は、収録メモリからガイダンス情報を読み出し、表示部に表示する。これにより、ガイダンス情報が、素材データの収録と共にリムーバブル記録媒体に記録され、自動的に表示部に表示されこととなる。
【発明の効果】
【００１２】
本発明では、ラベルへの記入の手間が省け、記入漏れ・ミス等を防ぐことの可能な素材データ記録システム及び、それに用いられるリムーバブル記録媒体、記録装置、素材データ管理方法を提供できる。
【発明を実施するための最良の形態】
【００１３】
以下、図面を参照しながら本発明の実施の形態について詳細に説明する。
【００１４】
図１は、本発明の一実施形態に係る素材データ記録システムの機能構成を示すブロック図である。図１において、カメラ等の記録装置１０には、ハードディスク及びフラッシュメモリ等のリムーバブル記録媒体２０が挿入される。また、フロッピー（登録商標）ディスク、ＵＳＢ（Universal Serial Bus）メモリ等の外部補助記録媒体３０も記録装置１０に挿入されている。外部補助記録媒体３０には、取材内容、撮影者名、場所、日時及び、素材データの固有識別情報を表す素材ＩＤ（Identification）を含むガイダンス情報が予め記録されている。
【００１５】
記録装置１０は、外部補助記録媒体３０からのガイダンス情報をメモリ１１に記録し、撮像した音声・映像等の素材データと共にリムーバブル記録媒体２０のメモリ２１に記録する。リムーバブル記録媒体２０は、メモリ２１に記録されたガイダンス情報を電子ペーパー２２に表示する。また、記録装置１０は、メモリ１１に記録されたガイダンス情報のうち、素材ＩＤを、リムーバル記録媒体２０に備えられた無線タグ２３に書き込む。
【００１６】
図２は、本発明の一実施形態に係る記録装置１０の機能構成を示すブロック図である。図２において、外部補助記録媒体３０は、インターフェース１２に接続され、内部に記録されるガイダンス情報をメモリ１１に出力する。また、外部補助記録媒体３０にガイダンス情報が記録されていない場合や、電子ペーパー２２に表示するガイダンス情報に情報を追加したい場合には、携帯電話及びＰＤＡ（Personal Digital Assistant）等に備わっているＢｌｕｅＴｏｏｔｈ（登録商標）機能等の無線機能により送信されたガイダンス情報を受信部１３で受信し、メモリ１１に導出させてもよい。
【００１７】
メモリ１１は、入力されたガイダンス情報を記録する。メモリ１１に記録されたガイダンス情報は、ＭＸＦ（Material eXchange Format）変換部１４に出力される。また、メモリ１１に記録されたガイダンス情報のうち素材ＩＤは、タグライタ１５にも出力される。タグライタ１５は、素材ＩＤを無線タグ２３に書き込む。
【００１８】
撮像部１６は、音声・映像等の素材データを撮像し、ＭＸＦ変換部１４に出力する。
【００１９】
ＭＸＦ変換部１４は、ガイダンス情報及び素材データを受け取り、これらをＭＸＦファイルに変換する。図３は、ＭＸＦ変換部１４で変換されるＭＸＦファイルの模式図を示す。ファイルヘッダ部分には、ガイダンス情報が格納され、ファイルボディ部分には、素材データが格納される。ＭＸＦ変換部１４で変換されたＭＸＦファイルは、書込み部１７によりリムーバブル記録媒体２０のメモリ２１に記録される。
【００２０】
制御部１８は、ＭＸＦ変換部１４において、素材データとガイダンス情報とがＭＸＦファイルに変換されるように、メモリ１１からのガイダンス情報の出力を制御する。また、タグライタ１５による無線タグ２３への素材ＩＤの書き込みを制御する。また、書込み部１７によるリムーバブル記録媒体２０へのＭＸＦファイルの記録を制御する。
【００２１】
図４は、本発明の一実施形態に係るリムーバブル記録媒体２０の機能構成を示すブロック図である。図４において、書込み部１７から出力されたＭＸＦファイルは、メモリ２１に保存される。メモリ２１に保存されたガイダンス情報は、ＣＰＵ（Central Processing Unit）２４により読み出され、電子ペーパー２２に表示される。
【００２２】
以上のように、上記実施形態では、記録装置１０は、外部補助記録媒体３０に予め記録されるガイダンス情報をメモリ１１に記録し、メモリ１１から出力されるガイダンス情報と撮像部１６で得られる素材データとをＭＸＦ変換部１４でＭＸＦファイルに変換する。そして、ＭＸＦファイルを、書込み部１７によりリムーバブル記録媒体２０のメモリ２１に書き込む。リムーバブル記録媒体２０は、ＣＰＵ２４により、メモリ２１に書き込まれたＭＸＦファイルからガイダンス情報を読み出し、電子ペーパー２２にガイダンス情報を表示する。
【００２３】
これにより、外部補助記録媒体３０に記録されるガイダンス情報が、素材データの収録と共にリムーバブル記録媒体２０に記録され、自動的に電子ペーパー２２に表示されこととなる。
【００２４】
また、タグライタ１５により、無線タグ２３へ素材ＩＤが書き込まれる。無線タグは、それぞれがタグＩＤを有しているため、無線タグ２３には、素材ＩＤとタグＩＤとが記録されることとなる。
【００２５】
これにより、リムーバブル記録媒体２０のタグＩＤ及び素材ＩＤに併せてそのリムーバブル記録媒体２０の保管場所等をデータベースに登録することで、リムーバブル記録媒体２０の管理が容易となる。つまり、所望の素材データが収録されたリムーバブル記録媒体を、素材ＩＤをもとに検索し、検索されたリムーバブル記録媒体のタグＩＤからそのリムーバブル記録媒体の保管場所を特定することが可能となる。
【００２６】
これらのことから、リムーバブル記録媒体が収録する素材データのガイダンス情報を手動で書き込む手間が省け、また、記入漏れ・ミスの発生を減じることができる。さらに、無線タグにタグＩＤと素材ＩＤとを記録することにより、リムーバブル記録媒体の管理が容易になる。
【００２７】
なお、本発明に係る実施形態は、上記実施形態に限定されるわけではない。例えば、上記実施形態では、ガイダンス情報と蓄積データとをＭＸＦファイルに変換した後、リムーバブル記録媒体に記録する例について説明しているが、リムーバブル記録媒体への記録手段はこれに限定されるものではない。
【００２８】
さらに、本発明は、実施段階ではその要旨を逸脱しない範囲で構成要素を変形して具体化できる。また、上記実施形態に開示されている複数の各構成要素の適宜な組み合わせにより、種々の発明を形成することができる。例えば、実施形態に示される全構成要素から幾つかの構成要素を削除してもよい。
【図面の簡単な説明】
【００２９】
【図１】本発明に係る素材データ記録システムの一実施形態の機能構成を示すブロック図。
【図２】上記実施形態の記録装置の機能構成を示すブロック図。
【図３】上記実施形態のＭＸＦファイルの模式図。
【図４】上記実施形態のリムーバブル記録媒体の機能構成を示すブロック図。
【符号の説明】
【００３０】
１０…記録装置、１１…メモリ、１２…インターフェース、１３…受信部、１４…ＭＸＦ変換部、１５…タグライタ、１６…撮像部、１７…書込み部、１８…制御部、２０…リムーバブル記録媒体、２１…メモリ、２２…電子ペーパー、２３…無線タグ、２４…ＣＰＵ、３０…外部補助記録媒体。
【図１】
2009123303.tif 000003
【図２】
2009123303.tif 000004
【図３】
2009123303.tif 000005
【図４】
2009123303.tif 000006